Podtech/llm-jp-corpus-v4-ja_patent huggingface dataset:
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
ＰＯＳシステムを用いてモバイル機器を介してデジタル取引を実行する方法であって、
上記ＰＯＳシステム、または顧客の上記モバイル機器により、一意の一回限りのデジタルコードであって、上記デジタル取引を特定するとともに、上記ＰＯＳシステムのローカル無線ネットワークを介して上記モバイル機器と接続するために、パスワードとして１回のみ使用されることができるデジタルコードを生成するステップと、
上記モバイル機器に手動で入力できるように、上記ＰＯＳシステムによる受領書に上記デジタルコードが印刷されることによって、上記デジタルコードを上記モバイル機器に手動で入力するか、または、ＮＦＣ、バーコード、ＳＭＳ、ＷｉＦｉ（登録商標）、またはＢｌｕｅｔｏｏｔｈ（登録商標）を介して、上記デジタルコードを上記モバイル機器に自動的に送信するステップと、
上記モバイル機器を上記ＰＯＳシステムのローカル無線ネットワークと接続するステップであって、上記接続のために、上記モバイル機器のＩＭＳＩ（International Mobile Subscriber, Identity）番号、ＩＭＥＩ（International Mobile Equipment Identity）、またはＭＡＣ（Media Access Control）アドレスが与えられ、上記ローカル無線ネットワークは、ＩＭＳＩ番号、ＩＭＥＩ、またはＭＡＣアドレスにより、接続時に上記モバイル機器を特定し、上記ＰＯＳシステムへデータを送信する一方、上記モバイル機器は、上記ＰＯＳシステムのネットワークのＩＭＳＩ番号、ＩＭＥＩ、またはＭＡＣアドレスを受信する、ステップと、
上記デジタルコードとともに上記デジタル取引のデータを、上記ＰＯＳシステムから上記モバイル機器の所有者の銀行へ、第１デジタルネットワーク経路を介して送信するステップであって、上記モバイル機器のＩＭＳＩ、ＩＭＥＩ、またはＭＡＣアドレス、および上記ＰＯＳシステムの上記ネットワークのＩＭＳＩ、ＩＭＥＩ、またはＭＡＣアドレスが、上記デジタル取引のデータの一部である、ステップと、
上記デジタルコードおよび上記モバイル機器により通知されたアカウント情報、上記ＰＯＳシステムの上記ネットワークのＩＭＳＩ、ＩＭＥＩ、またはＭＡＣアドレスを、並行して上記銀行へ第２デジタルネットワーク経路を介して送信するステップであって、上記モバイル機器は、自身のＩＭＳＩ、ＩＭＥＩ、またはＭＡＣアドレス、および、上記ＰＯＳシステムの上記ネットワークのＩＭＳＩ、ＩＭＥＩ、またはＭＡＣアドレスを、並行して上記銀行へ送信し、上記モバイル機器は、上記アカウントの情報が格納されたインターネットサービスにログインすることにより、上記銀行へ上記アカウントの情報を送信する、ステップと、
上記銀行により、上記ＰＯＳシステムからの上記デジタル取引のデータと、上記モバイル機器により通知された上記アカウント情報とをマージするステップであって、上記マージが成功した場合、上記デジタル取引を決済するものであり、上記デジタル取引のための決済は、上記ＩＭＳＩ、ＩＭＥＩ、またはＭＡＣアドレスが合致した場合のみ実行されるものであり、電話会社は、上記モバイル機器の位置座標を上記ＰＯＳシステムの実際の地理的位置と比較し、座標が合致した場合、上記デジタル取引は決済される、ステップと、
上記デジタル取引の処理が正常終了した後、上記デジタルコードに基づく上記ローカル無線ネットワークへのアクセスを自動的に切断するステップと、
を含むことを特徴とする方法。
【請求項２】
モバイル機器、ＰＯＳシステム、および銀行システムを含むシステムであって、請求項１に記載の方法を実行する仕組みを含むことを特徴とするシステム。
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
仮想環境を提供するシステムであって、前記仮想環境は、現実世界の空間と同一の広がりを有し、当該システムは、
１以上の仮想オブジェクトを含むシーン・マップの決定を少なくとも部分的に支援するディスプレイ・デバイスであって、前記ディスプレイ・デバイスは、前記仮想環境内で前記１以上の仮想オブジェクトのうちの仮想オブジェクトを表示するためのディスプレイ・ユニットを含み、前記１以上の仮想オブジェクトのうちの前記仮想オブジェクトは、３次元であり、前記現実世界の空間における位置のセットを含む表面を有する、ディスプレイ・デバイスと、
前記ディスプレイ・デバイスとは独立して前記現実世界の空間において動かすことが可能なアクセサリであって、前記アクセサリが、前記現実世界の空間における前記位置のセットに接触する位置又は前記現実世界の空間における前記位置のセットの内側の位置を取ると、前記アクセサリは、前記１以上の仮想オブジェクトのうちの前記仮想オブジェクトと接触し、前記１以上の仮想オブジェクトのうちの前記仮想オブジェクトが前記アクセサリと接触すると、前記１以上の仮想オブジェクトのうちの前記仮想オブジェクトは、前記アクセサリの動きに合わせてリサイズされる、アクセサリと、
を備えた、システム。
【請求項２】
前記アクセサリは、ハンドヘルド・デバイスである、請求項１記載のシステム。
【請求項３】
前記ハンドヘルド・デバイスは、前記ハンドヘルド・デバイスが前記現実世界の空間において動かされたときの加速度データ及び速度データのうちの少なくとも１つを提供する慣性測定ユニットを含む、請求項２記載のシステム。
【請求項４】
前記アクセサリは、イメージング・デバイス及びパックを含む、請求項１記載のシステム。
【請求項５】
前記イメージング・デバイスは、第１のイメージング・デバイスであり、前記ディスプレイ・デバイスは、第２のイメージング・デバイスを含み、前記第１のイメージング・デバイス及び前記第２のイメージング・デバイスは、同じシーン・マップ内での前記ディスプレイ・デバイスと前記アクセサリとの位置合わせを可能にする、請求項４記載のシステム。
【請求項６】
前記パックは、前記パックが前記現実世界の空間において動かされたときの加速度データ及び速度データのうちの少なくとも１つを提供する慣性測定ユニットを含む、請求項４記載のシステム。
【請求項７】
前記パックは、携帯電話機を含む、請求項４記載のシステム。
【請求項８】
仮想環境を提供するシステムであって、前記仮想環境は、現実世界の空間と同一の広がりを有し、当該システムは、
１以上の仮想オブジェクトを含むシーン・マップの決定を少なくとも部分的に支援するディスプレイ・デバイスであって、前記ディスプレイ・デバイスは、前記仮想環境内で前記１以上の仮想オブジェクトのうちの仮想オブジェクトを表示するためのディスプレイ・ユニットを含み、前記１以上の仮想オブジェクトのうちの前記仮想オブジェクトは、３次元であり、前記現実世界の空間における位置のセットを含む表面を有する、ディスプレイ・デバイスと、
アクセサリであって、前記アクセサリは、前記ディスプレイ・デバイス内の第１のイメージ・センサ及び前記アクセサリ内の第２のイメージ・センサが、シーン内の共通のポイントを撮像することにより、前記ディスプレイ・デバイスと同じシーン・マップ内で位置合わせされ、前記アクセサリ及び前記１以上の仮想オブジェクトのうちの前記仮想オブジェクトが、前記現実世界の空間において少なくとも部分的に共通する位置を取ると、前記アクセサリは、前記１以上の仮想オブジェクトのうちの前記仮想オブジェクトと接触し、前記１以上の仮想オブジェクトのうちの前記仮想オブジェクトは、前記アクセサリに接触すると、前記アクセサリに合わせて前記前記１以上の仮想オブジェクトのうちの前記仮想オブジェクトの長さ、幅、又は高さを変更するように動く、アクセサリと、
を備えた、システム。
【請求項９】
前記アクセサリは、前記ディスプレイ・デバイスに表示される仮想的光線を用いて前記１以上の仮想オブジェクトのうちの前記仮想オブジェクトを選択することにより、前記１以上の仮想オブジェクトのうちの前記仮想オブジェクトとインタラクトし、前記仮想的光線は、前記アクセサリから前記１以上の仮想オブジェクトのうちの前記仮想オブジェクトに伸びるものとして表示される、請求項８記載のシステム。
【請求項１０】
前記アクセサリは、前記アクセサリを前記１以上の仮想オブジェクトのうちの前記仮想オブジェクトの表面に接触させて前記１以上の仮想オブジェクトのうちの前記仮想オブジェクトを選択することにより、あるいは前記アクセサリを前記１以上の仮想オブジェクトのうちの前記仮想オブジェクトの内部に配置させて前記１以上の仮想オブジェクトのうちの前記仮想オブジェクトを選択することにより、前記１以上の仮想オブジェクトのうちの前記仮想オブジェクトとインタラクトする、請求項８記載のシステム。
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
シートアセンブリを含む照明デバイスであって、前記シートアセンブリは、
少なくとも部分的に光透過性である基板と、
前記基板に連結された複数の光源と、
駆動電子機器及び／又は電源を前記光源に接続するためのドライバコンタクトパッドと、
を含み、
前記シートアセンブリの少なくとも一部は、ロールを形成するように巻き配置に固定され、前記ドライバコンタクトパッドが置かれる前記シートアセンブリの部分は巻かれない、照明デバイス。
【請求項２】
前記シートアセンブリの前記一部における前記複数の光源は、前記ロールにおいて少なくとも部分的に内側に向けて及び／又は少なくとも部分的に前記ロールの少なくとも一方の端部に向けて光を発するように配置される、請求項１に記載の照明デバイス。
【請求項３】
前記シートアセンブリの少なくとも一部は、前記巻き配置に強固に固定される、請求項１又は２に記載の照明デバイス。
【請求項４】
前記シートアセンブリは、少なくとも部分的に光透過性である及び前記基板に連結された前記複数の光源を覆うように配置されたコーティング層を更に含む、請求項１乃至３のいずれか一項に記載の照明デバイス。
【請求項５】
前記ロールにおいて内側に向く前記シートアセンブリの面の少なくとも一部が、前記ロールにおいて外側に向く前記シートアセンブリの面の少なくとも一部に接着される、請求項１乃至４のいずれか一項に記載の照明デバイス。
【請求項６】
少なくとも部分的に前記ロールを取り囲む及び前記複数の光源によって発せられた光を反射するように配置されたリフレクタを更に含む、請求項１乃至５のいずれか一項に記載の照明デバイス。
【請求項７】
流体用の少なくとも１つのチャネルを更に含み、前記少なくとも１つのチャネルは、少なくとも部分的に前記ロール内に配置される、請求項１乃至６のいずれか一項に記載の照明デバイス。
【請求項８】
前記少なくとも１つのチャネルの少なくとも１つは、前記チャネル内の前記流体が前記複数の光源によって照明され得るように配置される、請求項７に記載の照明デバイス。
【請求項９】
流体が前記複数の光源によって照明され得る前記チャネル内に配置された触媒を更に含み、前記触媒は、前記チャネル内で前記複数の光源によって照明された流体の精製を向上させる、請求項８に記載の照明デバイス。
【請求項１０】
前記少なくとも１つのチャネルの少なくとも１つは、前記複数の光源によって生成された熱を放散させる為に前記照明デバイスにおいて流体を導くように配置される、請求項７乃至９のいずれか一項に記載の照明デバイス。
【請求項１１】
前記チャネルは、前記チャネル内へと延在する及び前記複数の光源によって生成された熱を放散する突起部を含む、請求項１０に記載の照明デバイス。
【請求項１２】
少なくとも１つの照明デバイスを製造する方法であって、
少なくとも部分的に光透過性である基板と、前記基板に連結された複数の光源と、駆動電子機器及び／又は電源を前記光源に接続するためのドライバコンタクトパッドとを含むシートアセンブリを設けるステップと、
前記シートアセンブリの少なくとも一部を、ロールを形成するように巻き配置に配置及び固定し、前記ドライバコンタクトパッドが置かれる前記シートアセンブリの部分は巻かれないステップと、
を含む方法。
【請求項１３】
前記シートアセンブリを前記巻き配置に配置及び固定するステップは、前記ロールにおいて内側に向く前記シートアセンブリの面の少なくとも一部を、前記ロールにおいて外側に向く前記シートアセンブリの面の少なくとも一部に接着するステップを更に含む、請求項１２に記載の方法。
【請求項１４】
前記シートアセンブリは、前記シートアセンブリを前記巻き配置に配置する間は可撓性があり、前記シートアセンブリを前記巻き配置に固定するステップは、前記シートアセンブリの少なくとも一部を前記巻き配置に硬化させるステップを含む、請求項１２又は１３に記載の方法。
【請求項１５】
前記シートアセンブリの前記巻き配置によって形成された前記ロールを、前記ロールの長手方向に対して横断する方向に沿って、少なくとも２つの部分に分割するステップを更に含み、各部分が照明デバイスを構成する、請求項１２乃至１４のいずれか一項に記載の方法。
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
シーンに構造化光パターンを投影するためのレーザー装置であって、
半導体レーザーの複数のアレイであって、前記半導体レーザーがＶＣＳＥＬであり、各アレイが個別のＶＣＳＥＬチップ上に配列され、各アレイが前記半導体レーザーの発光領域の不規則分布を有する、半導体レーザーの複数のアレイと、
前記アレイをイメージング空間に画像化し、前記イメージング空間において前記アレイの画像を重ね合わせて前記光パターンを形成する、一つ若しくは複数のイメージング光学系
とから成り、
前記発光領域の不規則分布が、各ＶＣＳＥＬチップ上の発光領域の規則的配列から、前記規則的配列により規定される基準位置に対する前記発光領域のランダムシフトだけ逸脱し、前記シフトが少なくともＶＣＳＥＬの有効直径の距離をカバーすることを特徴とする、
レーザー装置。
【請求項２】
前記光パターンにおけるビームスポットのほとんどが、異なるアレイの半導体レーザーから生じる少なくとも一つの隣接ビームスポットを有するよう、前記イメージング光学系が構成される、請求項１に記載のレーザー装置。
【請求項３】
前記アレイの少なくとも一つのＶＣＳＥＬが少なくとも二つの異なる形状を持つ発光領域を有する、請求項２に記載のレーザー装置。
【請求項４】
各単一アレイのＶＣＳＥＬが同一形状の発光領域を有し、少なくとも二つのアレイの前記発光領域の形状が互いに異なる、請求項２に記載のレーザー装置。
【請求項５】
各アレイにおいて少なくとも一方向における前記ＶＣＳＥＬの発光領域の直径が１０μｍ以下であり、前記発光領域間の最小距離が２０μｍ以上である、請求項２に記載のレーザー装置。
【請求項６】
前記イメージング光学系が、前記アレイの重ね合わせ画像が前記イメージング空間において少なくとも第一の方向に互いに対してわずかにシフトされるように構成される、請求項１に記載のレーザー装置。
【請求項７】
前記イメージング光学系が、前記アレイの重ね合わせ画像を前記イメージング空間における前記第一の方向と垂直な第二の方向に圧迫するように構成され、前記圧迫が両方向にビームスポットの実質的に均等な密度を達成するように選択される、請求項６に記載のレーザー装置。
【請求項８】
異なるアレイの連続的スイッチングのための制御ユニットをさらに有する、請求項１に記載のレーザー装置。
【請求項９】
前記光パターンが投影される前記画像空間におけるシーンの画像をとるように構成されるカメラをさらに有する、請求項１に記載のレーザー装置。
【請求項１０】
シーンの三次元認識若しくは三次元検出のための請求項１乃至９のいずれか一項に記載のレーザー装置の使用。
【請求項１１】
車両環境の検出のための請求項１０に記載の使用。
【請求項１２】
産業生産若しくは物流領域におけるシーンの三次元認識のための請求項１０に記載の使用。
【請求項１３】
ユーザーインターフェースのための請求項１０に記載の使用。
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
光を発する光源と、
前記光源の前に配される少なくとも２つの光学要素と
を有する照明装置であって、
前記少なくとも２つの光学要素は、前記光源により発される前記光の少なくとも一部が、自身を通って透過されるのを可能にするように少なくとも部分的に透明な材料を有し、
前記少なくとも２つの光学要素は、前記少なくとも２つの光学要素を出る光に、前記光が前記少なくとも２つの光学要素を出る方向によって変化する明るさを持たせるように、前記光源により発される前記光をコリメートする複数の貫通開口を有する、照明装置。
【請求項２】
前記少なくとも２つの光学要素は、互いに離間されて配されている、請求項１に記載の照明装置。
【請求項３】
拡散器が前記光源と前記少なくとも２つの光学要素との間に配されている、請求項１又は２に記載の照明装置。
【請求項４】
蛍光体要素、蛍光体層及び蛍光体コーティングの何れか１つが、前記光源と前記少なくとも２つの光学要素との間に配されている、請求項１乃至３の何れか一項に記載の照明装置。
【請求項５】
前記少なくとも２つの光学要素の少なくとも１つは、蛍光体要素及び拡散器の何れか１つである、請求項１乃至４の何れか一項に記載の照明装置。
【請求項６】
前記複数の貫通開口は２つ以上の異なる大きさを有する、請求項１乃至５の何れか一項に記載の照明装置。
【請求項７】
前記複数の貫通開口は２つ以上の異なる断面形状を有する、請求項１乃至６の何れか一項に記載の照明装置。
【請求項８】
前記少なくとも２つの光学要素は、異なる数の貫通開口を有する、請求項１乃至７の何れか一項に記載の照明装置。
【請求項９】
前記複数の貫通開口の１つ以上は、前記光学要素の材料とは異なる材料により充填される、請求項１乃至８の何れか一項に記載の照明装置。
【請求項１０】
前記複数の貫通開口の１つ以上は光学ロッドにより充填されている、請求項１乃至９の何れか一項に記載の照明装置。
【請求項１１】
前記少なくとも２つの光学要素の少なくとも１つは非一様な厚さを有する、請求項１乃至１０の何れか一項に記載の照明装置。
【請求項１２】
前記複数の貫通開口は、少なくとも２である前記貫通開口の直径により除算される前記貫通開口の長さとして測定されるアスペクト比を有する、請求項１乃至１１の何れか一項に記載の照明装置。
【請求項１３】
前記光源は、ＬＥＤ、蛍光体変換ＬＥＤ、ＬＥＤアレイ、蛍光体変換ＬＥＤアレイ及び光ガイドの何れか１つである、請求項１乃至１２の何れか一項に記載の照明装置。
【請求項１４】
請求項１乃至１３の何れか一項に記載の照明装置を有する照明器具又はランプ。
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
モバイル装置であって、
タッチスクリーンと、
少なくとも一つのプロセッサを含み、
前記少なくとも一つのプロセッサは、
テキスト入力部分（ｔｅｘｔ  ｉｎｐｕｔ  ａｒｅａ）を有する第１のウィンドウを前記タッチスクリーンに（ｏｎ  ｔｈｅ  ｔｏｕｃｈ  ｓｃｒｅｅｎ）提供する動作と、
動画を表示する第２のウィンドウを前記第１のウィンドウに（ｏｖｅｒ  ｔｈｅｆｉｒｓｔ  ｗｉｎｄｏｗ）提供する動作と、
前記テキスト入力部分にてタッチ入力を検出する動作と、
前記第２のウィンドウが前記タッチスクリーンの予め決定された第１の部分（ｐａｒｔ）に提供する場合、前記テキスト入力部分で前記タッチ入力の前記検出に反応し、前記第２のウィンドウを前記タッチスクリーンの前記第１の部分にて、前記タッチスクリーンの第２の部分に移行（ｔｒａｎｓｉｔｉｏｎ）し、前記動画を前記移行した第２の部分に同時に表示すると共に、キーボードを表示する動作を行うように構成され、
前記タッチスクリーンの前記第２の部分は、前記表示されたキーボードとは重ならないモバイル装置。
【請求項２】
前記動画は、前記移行する前に前記第１の部分として前記タッチスクリーンの下部に表示される請求項１に記載のモバイル装置。
【請求項３】
前記テキスト入力部分は、前記タッチスクリーンの上部に表示される請求項１に記載のモバイル装置。
【請求項４】
前記上部は、前記表示された第２のウィンドウとは重ならない請求項３に記載のモバイル装置。
【請求項５】
前記第１のウィンドウは、ウェブページを含み、
前記動画は前記ウェブページに表示される請求項１に記載のモバイル装置。
【請求項６】
前記第２のウィンドウのサイズと位置は、手動で調節されるように構成された請求項１に記載のモバイル装置。
【請求項７】
前記動画が表示される間、コール接続要求メッセージがコール開始のために受信される場合、前記少なくとも一つのプロセッサは、前記動画再生を一時停止する動作をさらに行うように構成され、
前記コールの接続が切れる場合、前記少なくとも一つのプロセッサは、前記動画再生の前記一時停止を解除する動作をさらに行うように構成された請求項１に記載のモバイル装置。
【請求項８】
前記少なくとも一つのプロセッサでは、
前記動画を表示する前記第２のウィンドウを縮小させる動作と、
前記タッチスクリーンの第３の部分に前記縮小された第２のウィンドウを表示する動作をさらに行うように構成された請求項１に記載のモバイル装置。
【請求項９】
前記タッチスクリーンの前記第１の部分と、前記タッチスクリーンの前記第２の部分との間のマッピング関係を定義した位置変更情報を保存するように構成されたメモリーをさらに含む請求項１に記載のモバイル装置。
【請求項１０】
前記位置変更情報は、ユーザによって設定するように構成された請求項９に記載のモバイル装置。
【請求項１１】
前記少なくとも一つのプロセッサでは、
前記表示されたキーボードを左側キーボードと右側キーボードとで分離する動作をさらに行うように構成された請求項１に記載のモバイル装置。
【請求項１２】
前記少なくとも一つのプロセッサでは、
前記左側キーボードと、前記右側キーボードとの間に前記動画を表示する前記第２のウィンドウを提供する動作をさらに行うように構成された請求項１１に記載のモバイル装置。
【請求項１３】
モバイル装置にて（ｏｎ  ａ  ｍｏｂｉｌｅ  ｄｅｖｉｃｅ）ウィンドウを表示する方法であって、
テキスト入力部分（ｔｅｘｔ  ｉｎｐｕｔ  ａｒｅａ）を有する第１のウィンドウをタッチスクリーンに（ｏｎ  ｔｈｅ  ｔｏｕｃｈ  ｓｃｒｅｅｎ）提供する動作と、
動画を表示する第２のウィンドウを前記第１のウィンドウに（ｏｖｅｒ  ｔｈｅ  ｆｉｒｓｔ  ｗｉｎｄｏｗ）提供する動作と、
前記テキスト入力部分にてタッチ入力を検出する動作と、
前記第２のウィンドウが前記タッチスクリーンの予め決定された第１の部分（ｐａｒｔ）に提供する場合、前記テキスト入力部分で前記タッチ入力の前記検出に反応し、前記第２のウィンドウを前記タッチスクリーンの前記第１の部分にて、前記タッチスクリーンの第２の部分に移行（ｔｒａｎｓｉｔｉｏｎ）し、前記動画を前記移行した第２の部分に同時に表示すると共に、キーボードを表示する動作を含み、
前記タッチスクリーンの前記第２の部分は、前記表示されたキーボードと重ならない方法。
【請求項１４】
前記動画は、前記移行する前に前記第１の部分として前記タッチスクリーンの下部に表示される請求項１３に記載の方法。
【請求項１５】
前記テキスト入力部分は、前記タッチスクリーンの上部に表示される請求項１３に記載の方法。
【請求項１６】
前記上部は、前記表示された第２のウィンドウとは重ならない請求項１５に記載の方法。
【請求項１７】
前記第１のウィンドウは、ウェブページを含み、
前記動画は、前記ウェブページに表示される請求項１３に記載の方法。
【請求項１８】
前記動画が表示される間、コール接続要求メッセージがコール開始のために受信される場合、前記動画再生を一時停止する動作と、
前記コールの接続が切れる場合、前記動画再生の前記一時停止を解除する動作をさらに含む請求項１３に記載の方法。
【請求項１９】
前記動画を表示する前記第２のウィンドウを縮小させる動作と、
前記タッチスクリーンの第３の部分に前記縮小された第２のウィンドウを表示する動作をさらに含む請求項１３に記載の方法。
【請求項２０】
前記タッチスクリーンの前記第１の部分と、前記タッチスクリーンの前記第２の部分との間のマッピング関係を定義した位置変更情報をメモリーに保存する動作をさらに含み、
前記位置変更情報は、ユーザによって設定するように構成された請求項１３に記載の方法。
【請求項２１】
前記表示されたキーボードを左側キーボードと、右側キーボードとで分離する動作をさらに含む請求項１３に記載の方法。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
複合現実環境においてフィルタ済みのジオロケートされるデータ項目の集まりを提示するための複合現実フィルタリングシステムであって、
コンピューティング装置に動作可能に接続された表示装置であって、ホログラフィック物体を提示するための表示システムを含む表示装置と、
前記コンピューティング装置のプロセッサによって実行される複合現実フィルタリングプログラムと、
を備え、
前記複合現実フィルタリングプログラムが、
ジオロケートされるホログラム項目および他のジオロケートされるデータ項目を含む複数のジオロケートされるデータ項目を受信し、
前記フィルタ済みのジオロケートされるデータ項目の集まりを得るために、社交モード、人気モード、最新モード、仕事モード、遊びモード、およびユーザ興味モードのうちの１つまたは複数を含む１つまたは複数のモードに基づいて、前記複数のジオロケートされるデータ項目を選択的にフィルタし、
１つまたは複数の前記ジオロケートされるデータ項目を前記表示装置による表示のために複合現実表示プログラムへ提供するように構成される１つまたは複数のオーサリングアプリケーションを有効化および無効化し、
前記フィルタ済みのジオロケートされるデータ項目の集まりを、前記表示装置による表示のために前記複合現実表示プログラムへ提供する
ように構成される、複合現実フィルタリングシステム。
【請求項２】
前記複合現実フィルタリングプログラムが、
１つまたは複数の優先要因に基づいて、前記フィルタ済みのジオロケートされるデータ項目を優先順位付けし、
所定の数の前記優先順位付けされたジオロケートされるデータ項目を、前記表示装置による表示のために前記複合現実表示プログラムへ提供する
ようにさらに構成される、請求項１に記載の複合現実フィルタリングシステム。
【請求項３】
前記１つまたは複数の優先要因が、項目の期間、項目の格付け、ユーザ嗜好データ、項目の人気度、項目のソースの権限、商業的優先順位、物理的近接度、および社会的近接度から成る群から選択される、請求項２に記載の複合現実フィルタリングシステム。
【請求項４】
前記表示装置が、前記コンピューティング装置に動作可能に接続されたヘッドマウントディスプレイ装置を備える、請求項１に記載の複合現実フィルタリングシステム。
【請求項５】
複合現実環境における、ジオロケートされるホログラム項目および他のジオロケートされるデータ項目を含む複数のジオロケートされるデータ項目を選択的にフィルタするための方法であって、
前記複数のジオロケートされるデータ項目を受信することと、
フィルタ済みのジオロケートされるデータ項目の集まりを得るために、社交モード、人気モード、最新モード、仕事モード、遊びモード、およびユーザ興味モードのうちの１つまたは複数を含む１つまたは複数のモードに基づいて、前記複数のジオロケートされるデータ項目を選択的にフィルタすることと、
１つまたは複数の前記ジオロケートされるデータ項目を表示装置による表示のために複合現実表示プログラムへ提供するように構成される１つまたは複数のオーサリングアプリケーションを有効化および無効化することと、
前記フィルタ済みのジオロケートされるデータ項目の集まりを、前記表示装置による表示のために前記複合現実表示プログラムへ提供することと、
を含む、方法。
【請求項６】
前記フィルタ済みのジオロケートされるデータ項目の集まりを得るために、１つまたは複数のデータタイプに基づいて、前記複数のジオロケートされるデータ項目を選択的にフィルタすることをさらに含む、請求項５に記載の方法。
【請求項７】
サードパーティフィルタリング基準に当てはまる１つまたは複数のサードパーティレンズに基づいて、前記複数のジオロケートされるデータ項目を選択的にフィルタすることをさらに含む、請求項５に記載の方法。
【請求項８】
前記複合現実環境におけるデータ項目密度を示すスターフィールドにおいて前記ジオロケートされるデータ項目の前記フィルタ済みの集まりを提示することをさらに含み、前記スターフィールドは、前記フィルタ済みの集まりにおける前記ジオロケートされるデータ項目のうちの異なる１つを各々が表す複数の標識を含む、請求項５に記載の方法。
【請求項９】
前記ジオロケートされるデータ項目の各々が、複数のデータタイプのうちの１つに対応し、前記複数の標識の各々に、前記複数のデータタイプから前記対応するデータタイプを識別するデータタイプ特性を提供することをさらに含む、請求項８に記載の方法。
【手続補正２】
【補正対象書類名】明細書
【補正対象項目名】０００８
【補正方法】変更
【補正の内容】
【０００８】
[0014]  一例において、また、以下により詳細に説明されるように、１つまたは複数のジオロケートされるデータ項目４０’は、ジオロケートされるコンテンツチャネル４８からネットワーク４６を介してコンピューティング装置２２によって受信され得る。別の例において、１つまたは複数のジオロケートされるデータ項目４０'’は、権限サーバ５２に位置するオーサリングアプリケーション５０によって生成され得る。このようなジオロケートされるデータ項目４０’’は、ネットワーク４６を介してコンピューティング装置２２によっても受信され得る。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
非デマンドデータキャッシュプリフェッチ要求をキャンセルするための方法であって、
プログラムループ内のメモリアクセス命令の反復実行に基づいてデータアクセスストライドを決定するステップと、
前記データアクセスストライドにしたがってデータキャッシュプリフェッチ要求を投機的に発行するステップと、
プログラムフロー情報の評価に基づいてループ出口を識別するステップと、
前記識別されたループ出口に応じて、非デマンドデータキャッシュプリフェッチ要求を保留している前記データキャッシュプリフェッチ要求をキャンセルするステップと
を含む、方法。
【請求項２】
前記ループ出口が、前記プログラムループを出ると評価するループ終了分岐を識別するステップに基づく、請求項1に記載の方法。
【請求項３】
前記ループ出口が、投機的な命令フェッチおよび実行をキャンセルさせる不正確な分岐予測に基づく、請求項1に記載の方法。
【請求項４】
前記ループ出口を識別するステップが、条件分岐命令が前記プログラムループを終了するよう解決されたことを検出するステップをさらに含む、請求項1に記載の方法。
【請求項５】
条件分岐命令が、前記プログラムループを終了するよう解決していないことを検出するステップと、
ループ出口を監視するステップと
をさらに含む、請求項1に記載の方法。
【請求項６】
非デマンドデータキャッシュプリフェッチ要求をキャンセルするための装置であって、
プログラムループ内のメモリアクセス命令の反復実行に基づいてデータアクセスストライドを決定するように構成されるループデータアドレスモニタと、
前記データアクセスストライドにしたがってデータキャッシュプリフェッチ要求を投機的に発行するように構成されるデータプリフェッチ論理手段と、
プログラムフロー情報の評価に基づいてループ出口を識別するための手段と、
前記識別されたループ出口に応じて非デマンドデータキャッシュプリフェッチ要求を保留している前記データキャッシュプリフェッチ要求をキャンセルするように構成される停止プリフェッチ回路と
を備える、装置。
【請求項７】
前記ループデータアドレスモニタが、
前記メモリアクセス命令の実行ごとにオペランドアドレス間の差を決定するために、前記メモリアクセス命令の反復実行を監視するように構成されるストライド回路であって、前記オペランドアドレス間の前記差が、ストライドアドレス値である、ストライド回路と、
次のオペランドアドレスを決定するために、直前に実行されたメモリアクセス命令の前記オペランドアドレスに、前記ストライドアドレス値を加算するように構成される加算機能回路と
を備える、請求項6に記載の装置。
【請求項８】
前記識別されたループ出口が、前記プログラムループを出ると評価するループ終了分岐を識別することに基づく、請求項6に記載の装置。
【請求項９】
前記識別されたループ出口が、投機的な命令フェッチおよび実行をキャンセルする不正確な分岐予測に基づく、請求項6に記載の装置。
【請求項１０】
前記識別されたループ出口が、条件分岐命令が前記プログラムループを終了するよう解決したことを検出することに基づく、請求項6に記載の装置。
【請求項１１】
前記停止プリフェッチ回路が、条件分岐命令が前記プログラムループを終了するよう解決していないことを検出するようにさらに構成され、前記プログラムループが、前記ループ出口が識別されるまで続く、請求項6に記載の装置。
【請求項１２】
前記停止プリフェッチ回路が、弱く予測されたループ出口に基づいて保留中のプリフェッチ要求をキャンセルしないようにさらに構成される、請求項6に記載の装置。
【請求項１３】
コンピュータ可読プログラムデータおよびコードで符号化され、プロセッサによって実行されるときに、請求項1〜5のいずれか一項に記載の方法を実施するように動作可能である、コンピュータ可読非一時的記録媒体。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
ターゲットオブジェクトを検出し、トラッキングするための方法であって、
前のビデオフレームと現在ビデオフレームとを比較することによって前記現在ビデオフレームのための動きベーストラッキングを実施することと、
前記前のビデオフレームと前記現在ビデオフレームとの間のトラッキングエラーを決定することと、
前記ターゲットオブジェクトが前記現在ビデオフレーム中にある可能性に相当するトラッキング信頼性値を取得するために前記トラッキングエラーを使用することと、
前記トラッキング信頼性値に基づいて前記現在ビデオフレーム中でオブジェクト検出を選択的に実施することと
を備える、方法。
【請求項２】
前記トラッキングエラーを決定することは、
フォワード軌道を決定するために前記前のビデオフレームと前記現在ビデオフレームとの間でフォワードトラッキングを実施することと、
バックワード軌道を決定するために前記現在ビデオフレームと前記前のビデオフレームとの間でバックワードトラッキングを実施することと、
前記フォワード軌道と前記バックワード軌道との間のフォワードバックワードエラーを決定することと
を備える、請求項１に記載の方法。
【請求項３】
オブジェクト検出を選択的に実施することは、前記トラッキング信頼性値がトラッキングしきい値よりも小さいかまたはそれに等しいとき、前記現在ビデオフレームに対するオブジェクト検出を実施することを備える、請求項１に記載の方法。
【請求項４】
オブジェクト検出を選択的に実施することは、前記トラッキング信頼性値が前記トラッキングしきい値よりも大きいとき、前記現在ビデオフレームに対するオブジェクト検出をスキップすることをさらに備える、請求項３に記載の方法。
【請求項５】
前記オブジェクト検出は前記動きベーストラッキングに連続して実施される、請求項１に記載の方法。
【請求項６】
前記トラッキング信頼性値は、
領域と、
ウィンドウロケーションと、
ウィンドウサイズと、
スケールレベルと
のうちの１つに対応する、請求項１に記載の方法。
【請求項７】
オブジェクト検出を選択的に実施することは、
前記前のビデオフレーム中のウィンドウの第１のサブセットを選択することと、
前記ターゲットオブジェクトについてウィンドウの前記第１のサブセットのみを探索することと
を備える、請求項１に記載の方法。
【請求項８】
オブジェクト検出を選択的に実施することは、
ウィンドウの前記第１のサブセット中の各選択されたウィンドウについて、ウィンドウサイズのサブセットを選択することと、
ウィンドウの前記第１のサブセット中の各ウィンドウについてウィンドウサイズの前記サブセットのみを探索することと
をさらに備える、請求項７に記載の方法。
【請求項９】
前記選択することは、乱数発生器に基づいてウィンドウの前記第１のサブセットをランダムに選択することを備える、請求項７に記載の方法。
【請求項１０】
前記現在ビデオフレーム中のウィンドウの第２のサブセットを選択することをさらに備え、ここにおいて、ウィンドウの前記第２のサブセットのサイズは、前記ターゲットオブジェクトが前記前のビデオフレーム中で検出されたかどうかに基づき、ここにおいて、ウィンドウの前記第１のサブセットからウィンドウの前記第２のサブセットへのサイズの増加は、好ましくは、前記ターゲットオブジェクトが前記前のビデオフレーム中で検出されなかった場合よりも、前記ターゲットオブジェクトが前記前のビデオフレーム中で検出された場合により高い、請求項７に記載の方法。
【請求項１１】
後のフレーム中で選択されるウィンドウの割合を増加させることをさらに備える、請求項７に記載の方法。
【請求項１２】
検出およびトラッキング信頼性値に基づいて、次のビデオフレーム中で前記ターゲットオブジェクトを検出する試みのために探索範囲を狭くすることをさらに備える、請求項１に記載の方法。
【請求項１３】
探索範囲を狭くすることは、前記現在ビデオフレームのための前記検出およびトラッキング信頼性値が検出およびトラッキングしきい値よりも大きいとき、低減された探索空間から探索のためのウィンドウロケーションを選択すること、または、
前記現在ビデオフレームのための検出およびトラッキング信頼性値が検出およびトラッキングしきい値よりも小さいかまたはそれに等しいとき、探索空間全体から探索のためのウィンドウロケーションを選択すること
をさらに備える、請求項１２に記載の方法。
【請求項１４】
ターゲットオブジェクトを検出し、トラッキングするための装置であって、
前のビデオフレームと現在ビデオフレームとを比較することによって前記現在ビデオフレームのための動きベーストラッキングを実施するための手段と、
前記前のビデオフレームと前記現在ビデオフレームとの間のトラッキングエラーを決定するための手段と、
前記ターゲットオブジェクトが前記現在ビデオフレーム中にある可能性に相当するトラッキング信頼性値を取得するために前記トラッキングエラーを使用するための手段と、
前記トラッキング信頼性値に基づいて前記現在ビデオフレーム中でオブジェクト検出を選択的に実施するための手段と
を備える、装置。
【請求項１５】
命令をその上に有する非一時的コンピュータ可読媒体を備える、ターゲットオブジェクトを検出し、トラッキングするためのコンピュータプログラム製品であって、前記命令は、
電子デバイスに、請求項１から１３のうちのいずれか１つに記載の方法に従って現在ビデオフレームのための動きベーストラッキングを実施することを行わせるためのコードを備える、コンピュータプログラム製品。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
吸音部材と、
前記吸音部材を覆う光媒体と、
前記光媒体の第１縁端部に沿って配設される固体照明素子の第１セットと、
前記光媒体を覆う透光性シートであって、不透明な塗料でコーティングされたガラス繊維マットを含む透光性シートとを有する吸音照明パネルであって、
前記透光性シートが、前記光媒体の中央領域にわたって、前記第１縁端部を有する前記光媒体の第１領域と比べてより高い透光度を持つように、前記不透明な塗料のコーティングが、前記第１領域にわたって、前記中央領域と比べてより厚い厚さを持つ吸音照明パネル。
【請求項２】
前記固体照明素子の第１セットが、発光ダイオードのストリップを有する請求項１に記載の吸音照明パネル。
【請求項３】
前記光媒体の前記第１縁端部の反対側の第２縁端部に沿って配設される固体照明素子の第２セットを更に有し、前記透光性シートが、前記中央領域にわたって、前記第２縁端部を有する前記光媒体の第２領域と比べてより高い透光度を持つ請求項１又は２に記載の吸音照明パネル。
【請求項４】
前記固体照明素子の第２セットが、発光ダイオードの他のストリップを有する請求項３に記載の吸音照明パネル。
【請求項５】
前記透光性シートが、その全表面の少なくとも3%を占める複数の開口部を有する請求項１乃至４のいずれか一項に記載の吸音照明パネル。
【請求項６】
前記吸音部材、前記光媒体、前記固体照明素子及び前記透光性シートを収容するハウジングを更に有し、前記ハウジングが、反射性の内面を持つ請求項１乃至５のいずれか一項に記載の吸音照明パネル。
【請求項７】
前記パネルが、タイル形状を持つ請求項１乃至６のいずれか一項に記載の吸音照明パネル。
【請求項８】
前記透光性シートが、前記吸音照明パネルの縁端部から前記吸音照明パネルの中央へ増大していく透光性勾配を持つ請求項１乃至７のいずれか一項に記載の吸音照明パネル。
【請求項９】
前記光媒体が、空気で満たされたキャビティを有する請求項１乃至８のいずれか一項に記載の吸音照明パネル。
【請求項１０】
支持フレームに取り付けられる複数のパネルを有するモジュール式表面システムであって、前記パネルのうちの少なくとも１つが、請求項１乃至９のいずれか一項に記載の吸音照明パネルであるモジュール式表面システム。
【請求項１１】
前記表面システムが、つり天井システムである請求項１０に記載のモジュール式表面システム。
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
基板上のセルのアレイを検査する方法であって、
欠陥がないことが前もって決定されていた第１のセル画像を獲得するステップと、
前記第１のセル画像のコピーをタイル張りしてステッチすることによってアレイ画像を生成するステップと、
前記アレイ画像内に第２のセル画像を画定し、該第２のセル画像のコピーをタイル張り及びステッチすることにより基準画像を生成するステップと、
前記基準画像から抽出された輪郭を含む基準輪郭画像を生成するステップと、
前記基準輪郭画像を使用して前記基板上の前記セルのアレイの欠陥を検出するステップと、
を含む方法。
【請求項２】
前記基板上の前記セルのアレイのテスト画像を得るステップと、
前記基準輪郭画像に前記テスト画像を整列配置するステップと、
を更に含む請求項１に記載の方法。
【請求項３】
複数の重なり合うより解像度の高いセルの部分画像を得るステップと、
より解像度の低い前記セルの完全画像を得るステップと、
前記部分画像を整列配置及びステッチして前記第1のセル画像を得るステップと、
を更に含む請求項１に記載の方法。
【請求項４】
前記第２のセル画像からセル輪郭画像を生成するステップと、
前記セル輪郭画像のコピーをタイル張りすることによって、前記基準輪郭画像を生成するステップと、
を更に含む請求項１に記載の方法。
【請求項５】
前記セル輪郭画像を生成するステップは、領域分割技術を使用してセル輪郭を抽出するステップを含む請求項４に記載の方法。
【請求項６】
前記セル輪郭画像を生成するステップは、セル輪郭を抽出するためのシードとして前記デザインの多角形を使用するステップを含む請求項４に記載の方法。
【請求項７】
前記セル輪郭画像を生成するステップは、プリ光近接効果補正デザインを平滑化することによってセル輪郭を得るステップを含む請求項４に記載の方法。
【請求項８】
前記セル輪郭画像を生成するステップは、画像編集ツールを使用してセル輪郭を手動で描くステップを含む請求項４に記載の方法。
【請求項９】
マスク画像を生成して、欠陥検出のためにユーザー指定セグメンテーションを提供するステップを更に含む請求項１に記載の方法。
【請求項１０】
セル輪郭の端からの距離に応じて特徴がセグメントに分けられる請求項９に記載の方法。
【請求項１１】
前記ユーザー指定セグメンテーションは、欠陥分類のために更に使われる請求項９に記載の方法。
【請求項１２】
基板上のアレイの欠陥を検出するシステムであって、
マイクロプロセッサと制御コードとを有する制御および処理システムを備え、
前記制御コードが、
欠陥がないことが前もって決定されていた第1のセル画像を取得し、前記第１のセル画像のコピーをタイル張りしてステッチすることによってアレイ画像を生成し、前記アレイ画像内に第２のセル画像を画定し、前記第２のセル画像のコピーをタイル張りしてステッチすることにより基準画像を生成することによって、基準画像を生成し
前記基準画像から抽出した輪郭を含む基準輪郭画像を生成し、
前記基準輪郭画像を使用して、前記基板上の前記セルのアレイの欠陥を検出する
ようにプログラムされたシステム。
【請求項１３】
前記制御コードは、前記基板上の前記セルのアレイのテスト画像を得て、前記テスト画像を前記基準輪郭画像に整列配置するように更にプログラムされる請求項１２に記載のシステム。
【請求項１４】
前記制御コードは、複数の重なり合うより解像度の高いセルの部分画像を取得し、より解像度の低い前記セルの完全画像を取得し、前記部分画像を整列配置及びステッチ前記第１のセル画像を取得するように更にプログラムされる請求項１２に記載のシステム。
【請求項１５】
前記制御コードは、前記第２のセル画像からセル輪郭画像を生成し、前記セル輪郭画像のコピーをタイル張りすることによって、前記基準輪郭画像を生成するように更にプログラムされる請求項１２に記載のシステム。
【請求項１６】
前記制御コードは、マスク画像を生成して、欠陥検出のためにユーザー指定セグメンテーションを提供するように更にプログラムされる請求項１２に記載のシステム。
【請求項１７】
セル輪郭の端からの距離に応じて特徴がセグメントに分けられる請求項１６に記載のシステム。
【請求項１８】
前記ユーザー指定セグメンテーションは、欠陥分類のために更に使われる請求項１６に記載のシステム。
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
医療を受ける人又は動物のサンプルを装置の表面で配されることを可能にするように構成された装置であって、表面が感光位置又は発光位置又はその両方の密なアレイと関連している装置と、
サンプルについての情報が、光を用いて装置によって５ミクロン未満の分解能で撮られ、人又は動物の医療における使用のために提供されることを引き起こすための電子機器と、
を含む機器。
【請求項２】
サンプルにおいて包含されたユニットに関連する結果を生成するためにサンプルについて撮られた情報を処理するためのプロセッサを含む、請求項１に記載の機器。
【請求項３】
プロセッサが、サンプルの可視化を可能にする、請求項２に記載の機器。
【請求項４】
プロセッサが、サンプルにおいて包含されたユニットを識別する、請求項２に記載の機器。
【請求項５】
プロセッサが、サンプルにおいて包含されたユニットを分類する、請求項２に記載の機器。
【請求項６】
プロセッサが、サンプルにおいて包含されたユニットを列挙する、請求項２に記載の機器。
【請求項７】
プロセッサが、サンプルにおいて包含されたユニットを測定する、請求項２に記載の機器。
【請求項８】
測定が、容積、サイズ、形状、長さ、ルミネッセンス、蛍光、散乱、複屈折、又は他の光学特性、光学密度又はルミネッセンスのスペクトル特性の内の少なくとも一つである、請求項７に記載の機器。
【請求項９】
サンプルが、細胞を含む、請求項１に記載の機器。
【請求項１０】
サンプルが、血液細胞を含む、請求項１に記載の機器。
【請求項１１】
サンプルが、細胞診標本を含む、請求項１に記載の機器。
【請求項１２】
サンプルが、原虫を含む、請求項１に記載の機器。
【請求項１３】
サンプルが、バクテリアを含む、請求項１に記載の機器。
【請求項１４】
サンプルが、寄生虫を含む、請求項１に記載の機器。
【請求項１５】
サンプルが、粒子を含む、請求項１に記載の機器。
【請求項１６】
サンプルが、尿結晶を含む、請求項１に記載の機器。
【請求項１７】
サンプルが、尿円柱を含む、請求項１に記載の機器。
【請求項１８】
サンプルについて撮られた情報を用いて化学的分析を実施するためのプロセッサを含む、請求項１に記載の機器。
【請求項１９】
内視鏡装置と、
内視鏡上の撮像装置であって、撮像装置が、医療を受ける人又は動物の内部組織上に、内視鏡の操作によって、配される表面を含む、内視鏡上の撮像装置と、
感光位置又は発光位置又はその両方の密なアレイと関連している表面と、
サンプルについての画像情報が、内部組織で光を用いて装置によって５ミクロン未満の分解能で撮られ、人又は動物に関する診断における使用のために提供されることを引き起こすための電子機器と、
を含む内視鏡機器。
【請求項２０】
撮像装置が、内視鏡の先端で小さな領域のセンサーを含む、請求項１９に記載の機器。
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
流体中の溶解ガスを測定する方法であって、
前記流体から前記溶解ガスを遊離させるステップと、
担体ガス内の前記遊離ガスを捕捉するステップと、
電気化学的センサを用いて、前記溶解ガス濃度を測定するステップと、
を備える方法。
【請求項２】
前記溶解ガスは、一酸化窒素である、ことを特徴とする請求項１に記載の方法。
【請求項３】
前記流体から前記溶解ガスを遊離させる前記方法は、電磁放射を用いて、分子結合から前記ガスを解放し、前記流体から前記溶解ガスをガス抜きするステップを含む、ことを特徴とする請求項１に記載の方法。
【請求項４】
前記電磁放射は、発光ダイオードを用いて生成される、ことを特徴とする請求項３に記載の方法。
【請求項５】
前記ガス抜き方法は、熱蒸発による、ことを特徴とする請求項３に記載の方法。
【請求項６】
前記遊離ガスを捕捉する前記方法は、環境大気から閉止されている、ことを特徴とする請求項１に記載の方法。
【請求項７】
流体中の一酸化窒素を測定する装置であって、
流体サンプルからの液体あるいは固体残留物を含む廃棄可能なコンポーネントと、
ポンプ、１以上のバルブ、一酸化窒素センサ、１以上の制御部、及び、１以上のユーザインタフェースを備える再利用可能な装置コンポーネントと、
を備えることを特徴とする装置。
【請求項８】
前記廃棄可能なコンポーネントは、一回の使用用に設計されている、ことを特徴とする請求項７に記載の装置。
【請求項９】
前記廃棄可能なコンポーネントは、前記流体から一酸化窒素ガスを遊離させる手段を含んでいる、ことを特徴とする請求項７に記載の装置。
【請求項１０】
前記流体から一酸化窒素ガスを遊離させる前記手段は、電磁放射源を含む、ことを特徴とする請求項９に記載の装置。
【請求項１１】
前記流体から一酸化窒素ガスを遊離させる前記手段は、前記流体から前記一酸化窒素ガスをガス抜きする手段を備える、ことを特徴とする請求項９に記載の装置。
【請求項１２】
前記１以上の制御部と１以上のユーザインタフェースは、マイクロプロセッサを備える、ことを特徴とする請求項７に記載の装置。
【請求項１３】
一酸化窒素ガスを測定する前記センサは、電気化学的センサである、ことを特徴とする請求項７に記載の装置。
【請求項１４】
前記装置は、前記一酸化窒素含有ガスを捕捉する手段を含む、ことを特徴とする請求項７に記載の装置。
【請求項１５】
前記一酸化窒素含有ガスを捕捉する前記手段は、環境大気から閉止されている、ことを特徴とする請求項１４に記載の装置。
【請求項１６】
前記装置は、前記電磁放射源を含む、ことを特徴とする請求項１０に記載の装置。
【請求項１７】
前記電磁放射源は、１以上の発光ダイオードを備える、ことを特徴とする請求項１６に記載の装置。
【請求項１８】
前記廃棄可能なコンポーネントは、前記流体サンプルの前記液体及び固体を含む手段を含む、ことを特徴とする請求項７に記載の装置。
【請求項１９】
前記流体サンプルの前記液体及び固体コンポーネントを含む前記手段は、ガス浸透性膜である、ことを特徴とする請求項１８に記載の装置。